(57)【要約】      （修正有）【課題】精神疾患患者の病状に応じて個室の使用範囲区分を変えることができる精神疾患患者治療用個室システムを提供する。【解決手段】居住室と少なくともトイレ室からなる所定複数の治療用個室の該居住室の天井面又は壁面に感度調整可能なマイクロホン２４をそれぞれ設置すると共に、該マイクロホンにより捕らえた各個室内の音声を所定周期で順次自動切換するか、又は個室別に手動切換して該音声をスピーカ２５及び又はＡＵメータ２２ａによりモニタする音声モニタ切換装置２２をナースステーションなどのモニタ室に設置した。【選択図】図８
2010043526.tif 000002
【特許請求の範囲】
【請求項１】
居住室と少なくともトイレ室からなる所定複数の治療用個室の該居住室の天井面又は壁面に感度調整可能なマイクロホンをそれぞれ設置すると共に、該マイクロホンにより捕らえた各個室内の音声を所定周期で順次自動切換するか又は個室別に手動切換して該音声をスピーカ及び又は音圧メータによりモニタする音声切換モニタ装置をナースステーションなどのモニタ室に設置したことを特徴とする精神疾患患者治療用個室システム。
【請求項２】
前記音声切換モニタ装置は各個室別に又は所定複数の全個室に同時に音声指示を伝達可能とする音声伝達切換手段を具備していることを特徴とする請求項１に記載の精神疾患患者治療用個室システム。
【発明の詳細な説明】
【技術分野】
【０００１】
本発明は、精神疾患患者の病状に応じて個室の使用範囲区分を変えることができる精神疾患患者治療用個室システムに関する。
【背景技術】
【０００２】
従来の精神疾患患者治療用個室は１０平方メートル程度の広さの部屋にトイレだけが設けられ、ベッドは配置されていなかった。
【発明の概要】
【発明が解決しようとする課題】
【０００３】
従来の治療用個室はトイレが設けられているので、便器内の水を飲んで水中毒を起こしたり、トイレが壊されたりする問題点があり、又ベッドは必要な時にその都度配置する必要があった。
【０００４】
本発明は、これらの問題点を解消し、ベッドは常時配置されていると共にトイレの破壊や水中毒の防止のために不使用時にはトイレ室を施錠したり、又洗面室を開錠して快適性を良くしたり、更に庭などの室外にも出ることができる様に戸口を開けたりして、病状の改善状態に応じて治療用個室の使用範囲区分を変えていくことができる精神疾患患者治療用個室システムを提供することを目的とする。
【課題を解決するための手段】
【０００５】
本発明は上記の目的を達成すべく、居住室と少なくともトイレ室からなる所定複数の治療用個室の該居住室の天井面又は壁面に感度調整可能なマイクロホンをそれぞれ設置すると共に、該マイクロホンにより捕らえた各個室内の音声を所定周期で順次自動切換するか又は個室別に手動切換して該音声をスピーカ及び又は音圧メータによりモニタする音声切換モニタ装置をナースステーションなどのモニタ室に設置したことを特徴とする。
【発明の効果】
【０００６】
この様に本発明によると、四方を囲い壁で囲った内部空間を居住室とトイレ室や洗面室で区分し、その区分個所の所定ドアを施錠したり、開錠することにより、治療段階に応じた行動制限を行い、水中毒や器物破損などの危険性を排除し、患者の快適性を高めた治療を行える効果を有する。
【図面の簡単な説明】
【０００７】
【図１】本発明の第１の実施の形態の個室システムの平面説明図である。
【図２】１番目の病状状態の患者に対しての個室内の区分説明図である。
【図３】２番目の病状状態の患者に対しての個室内の区分説明図である。
【図４】３番目の病状状態の患者に対しての個室内の区分説明図である。
【図５】４番目の病状状態の患者に対しての個室内の区分説明図である。
【図６】５番目の病状状態の患者に対しての個室内の区分説明図である。
【図７】本発明の第２の実施の形態の個室システムの平面説明図である。
【図８】本発明の第３の実施の形態のシステム構成図である。
【図９】本発明の第４の実施の形態の断面説明図である。
【図１０】本発明の第５の実施の形態の側面説明図である。
【図１１】本発明の第６の実施の形態の断面説明図である。
【図１２】その収納時の断面説明図である。
【図１３】本発明の第７の実施の形態の説明斜視図である。
【図１４】本発明の第８の実施の形態の平面断面図である。
【図１５】その側面断面図である。
【図１６】作動の説明図である。
【発明を実施するための形態】
【０００８】
本発明の第１の実施の形態を図１により説明する。
【実施例１】
【０００９】
１は本発明の第１の実施の形態である精神疾患患者治療用の個室システムを示し、該個室システム１は四方を囲い壁１ａで囲った内部空間を居住室２とトイレ室３及び洗面室４に仕切った使用区分からなり、この内部空間の一辺側の部分に該トイレ室３と該洗面室４とが並設され、第１仕切壁１ｂにより該洗面室４と前記居住室２に区分され、第２仕切壁１ｃにより該トイレ室３と洗面室４とが区分されている。
【００１０】
これら居住室２、トイレ室３、洗面室４の仕切壁１ｂ、１ｃには遮音力を高めた各々施錠可能なドア５が設けられ、該居住室２とトイレ室３との間の仕切壁１ｂに第１ドア５ａと第２ドア５ｂが、該居住室２と洗面室４との間の仕切壁１ｂに第３ドア５ｃが、該トイレ室３と洗面室４との間の仕切壁１ｃに第４ドア５ｄがそれぞれ設けられ、更に該洗面室４側の囲い壁１ａに室外への出入口１ｄが設けられ、出入口１ｄに施錠可能な引き戸１ｅが設けられている。尚、ドア５ａ、５ｂ、５ｃは金属製ドアで内部にゴム板などを貼付して遮音力を高めている。又、ドア５ｄは木製ドアである。
【００１１】
又、居住室２内には常時折り畳み可能なベッド６が配置されているが、病状により患者を拘束可能とする拘束ベッドを使用することがある。
【００１２】
更に、トイレ室３内には便器３ａと手洗器３ｂとが設けられ、洗面室４内には洗面台４ａが設けられている。そして該便器３ａをステンレス製にすることにより壊されることがない。
【００１３】
次に、本発明の第１の実施の形態である個室システム１の使用方法を図２乃至図６により説明する。
【００１４】
患者の病状の状態を重度から軽度への５つに大別する。
【００１５】
先ず、最も重度の自殺企図、自傷行為や暴力行為、器物破損などが著しい状態の患者の場合には患者を拘束する必要がある。
【００１６】
この場合には図２に示す如く、居住室２内に拘束用のベッド６を配置し、ドア５ａ、５ｂ、５ｃ、５ｄ及び引き戸１ｅは全て施錠し、トイレ室３はトイレ使用時のみ係員が開錠する。
【００１７】
又、拘束用のベッド６が配置されているので拘束などの対応を直ちに行うことができる。
【００１８】
次に２番目の状態として、器物破損などの暴力行為はあるが、拘束を必要とせず、歩く方がストレスを解消できる状態の患者の場合には、図３に示す如く、歩く場所を確保するためにベッド６を設置しないか又は折り畳み、ドア５ａ、５ｂ、５ｃ、５ｄ及び引き戸１ｅは全て施錠し、患者から要求のあった時のみ係員がトイレ室３のドア５ａを開錠する。
【００１９】
尚、患者がドア５を叩いたりしても遮音力を高めてあるので大きな音が外部に漏れない。
【００２０】
次に３番目の状態として、器物破損はないが、興奮したり、他の患者への迷惑行為があったりする状態の患者の場合には、図４に示す如く、常にベッド６を設置し、ドア５ａ、５ｂを開錠して壁面に密着して拡げトイレ室３のみ使用自由とするが、水中毒の恐れがある場合はトイレの水と手洗器３ｂの水を止めることができる。尚、ドア５ａは囲い壁１ａに平らに密着し、凹凸がなく安全である。
【００２１】
次に４番目の状態として、他の患者との対人関係によるトラブルが続く状態の患者の場合には、図５に示す如く、引き戸１ｅのみ施錠して室外への出入を禁止し、トイレ室３及び洗面室４の使用は自由とし、洗顔などできて快適性が良くなる。
【００２２】
最後に、最も病状が良くなってくると、図６に示す如く、トイレ室３と洗面室４の使用自由に加えて、引き戸１ｅの施錠も外して、庭などの室外へ出て外の空気を吸うこともできて、一般病室として使用し、他の患者がいる病棟へ移る準備期間となる。
【００２３】
尚、図５及び図６に示す４番目と５番目の状態の患者の場合は、ドア５ａ、５ｂを施錠してトイレ室３への出入は洗面室４を通りドア５ｄから行うと、居住室２への臭気洩れなどの不快感を少なくすることができる。
【００２４】
又、トイレ室３と洗面室４とを並設すると、居住室２の仕切りに凹凸がなく安全となり、更に洗面室４の部分を室外との出入部分にすることができ、更に又、水回りの工事が近接しているので容易となり、又、既存病棟を改造して転用することができる。
【００２５】
上記の様に、従来のトイレだけが設けられた個室に対して、患者の切迫した状態や病状の改善状態に応じて、ベッドに拘束したり、トイレ室や洗面室の使用自由に加えて室外へも出ることができるなど、所定のドアの施錠、開錠により個室の使用範囲区分を変えることができる。
【００２６】
次に、本発明の第２の実施の形態を図７により説明する。
【実施例２】
【００２７】
本発明の第２の実施の形態である精神疾患患者治療用の個室システム１１は居住室２とトイレ室３との区分に形成され、前記第１の実施の形態の洗面室のない言わば簡易型であることが特徴である。
【００２８】
該個室システム１１は四方を囲い壁１ａで囲んだ内部空間の１隅部に設けた便器３ａを仕切壁１ｂと遮音力を高めた施錠可能なドア５で囲んだトイレ室３と該トイレ室３を除く内部空間がやや広い居住室２となり、囲い壁１ａに設けた出入口１ｄには施錠可能なドア又は引き戸１ｅが設けられて室外への出入を制限し、居住室２にはベッド６が配置されている。
【００２９】
この個室システム１１は前記第１の実施の形態で述べた１番目乃至３番目迄の状態の患者の治療用に適している。
【００３０】
又、この個室システム１１は、比較的工事が容易であるだけでなく、従来のトイレが設けられている既存の治療用の個室を、このトイレ部分を仕切壁１ｂと施錠可能なドア５で囲むことにより、容易にこの個室システム１１に形成することができて、トイレ破壊や水中毒の害を防止することができる。
【００３１】
次に、本発明の第３の実施の形態を図８により説明する。
【実施例３】
【００３２】
この第３の実施の形態においては精神疾患患者治療用の個室システムの前記居住室２の天井面などにマイクロホンを設置して、その各個室からの音声をナースステーションなどで常時モニタできるようにして、患者の安全を守ると共にカメラによらず音声モニタにより患者のプライバシーを高めたことが特徴である。
【００３３】
前記第１及び第２の実施の形態で示した居住室２と少なくともトイレ室３とからなる例えば４つの個室を１管理単位とし、これら各治療用個室の前記居住室２の天井面又は前記囲い壁１ａにマイクロホン２４とスピーカ２５を設けた。
【００３４】
音声モニタ機能として、前記各マイクロホン２４は各居住室２の音響条件の差異と時間的な感度低下などを常時一定レベルに保つためのレベル調整回路２４ａを介在して音声モニタ切換装置２２に接続され、該音声モニタ切換装置２２は音圧を表示するためのＡＵメータ２２ａと４つの個室別の音圧信号を切換えるための探知切換スイッチ２２ｂと４つの個室別の音声を切換えるためのモニタ切換スイッチ２２ｃと全４つの個室への一斉指令ボタン２２ｄと各個室別の個室指令ボタン２２ｅとを備え、更に、所定の時間周期で自動的に４つの個室を順次移行切換を行うための音圧信号の時間設定ボタン２２ｆと音声の時間設定ボタン２２ｇとを備えており、該音声モニタ切換装置２２に接続したインターホン親機２３のスピーカ２３ａから音声モニタ時には音声が出る。又前記探知切換スイッチ２２ｂとモニタ切換スイッチ２２ｃとを１回押せば特定の個室に手動で切り換り、２回押せば自動切り換えに戻り、更に、自動切り換えの時間周期は時間設定ボタン２２ｆ、２２ｇを押すことにより、例えば、音圧信号は２秒毎の切り換えとすると８秒間で全４つの個室の音圧信号をＡＵメータ２２ａで確認することができ、又音声は５秒毎の切り換えとすると２０秒間で全４つの個室の音声をモニタすることができる。
【００３５】
次にインターホン機能として、前記一斉指令ボタン２２ｄか個室指令ボタン２２ｅかを押してから前記インターホン親機２３のトークボタン２３ｃを押してマイク２３ｂで話すと前記各個室に設けられたスピーカ２５から音が出て、又患者側からは各個室内で話せば前記天井面２ａ等に設けたマイクロホン２４が音を拾って該インターホン親機２３のスピーカ２３ａから音が出たり又、同時通話も可能である。
【００３６】
次に本発明の第３の実施の形態の音声モニタシステムの使用方法を説明する。
【００３７】
例えばある個室内で患者が大声を上げたり、あばれたりして大きな音を立てるとＡＵメータ２２ａの針は大きく振れるので探知切換スイッチ２２ｂでその特定の個室を探すか、スピーカ２３ａから例えば５秒間音がするのでモニタ切換スイッチ２２ｃで切り換えてモニタして、その状況によりトイレ室を開錠したり、インターホン親機２３を使って声をかけてなだめたりし、患者の安全を確保したり、要望に対応することができ、又、食事や消灯などは一斉指令ボタン２２ｄにより全個室に伝達する。更に前記スピーカ２５により各個室の前で通常のインターホンとして使用することができる。
【００３８】
又、特定の個室を音声モニタしている時もＡＵメータの振れを見ることにより他の複数の個室もモニタすることができる。
【００３９】
更に、カメラによってモニタすると患者のプライバシーを守れず、又、カメラを意識して落ち着かないが、音声モニタではマイクロホンは意識されず患者の安全を常時見守りながらプライバシーも高めることができる。
【００４０】
尚、夜間などにはＡＵメータ２２ａの振れを見ることにより４個室の数単位の該音声モニタシステムを同時にモニタすることができる。
【００４１】
次に本発明の第４の実施の形態を図９により説明する。
【実施例４】
【００４２】
この第４の実施の形態においては、前記第１及び第２の実施の形態の居住室２と少なくともトイレ室からなる治療用個室の囲い壁１ａに設けた窓３３を屋外に面した外窓３３ａと屋内側の内窓３３ｂとからなる２重窓に形成し、該外窓３３ａは既設のガラス窓であってもよく、内窓３３ｂは衝撃に強い針金やフィルム入りの強化ガラスやアクリル樹脂板で形成すると共に、外窓３３ａと内窓３３ｂとの中間部の窓枠３４の上方に上下方向に伸縮可能なロールカーテン３２とを設置した。
【００４３】
この様に伸縮できるカーテン３２により、カーテンを下げて患者を見えなくすることができ、又、患者の状態が良くなればカーテンを上げて屋外が見える様にすることができ、更に２重窓にすることにより内外からの音を低くすることができ、更に又、丈夫な内窓３３ｂにより患者の怪我を防止することができる。
【００４４】
尚、カーテンは左右に開閉するものでもよい。
【００４５】
本発明の第５の実施の形態を図１０により説明する。
【実施例５】
【００４６】
この第５の実施の形態においては前記居住室２の囲い壁１ａ内に収納ベッドを設けて、患者の病状や必要に合せて、設置したり、収納して床面を広く使用できることが特徴である。
【００４７】
前記第１及び第２の実施の形態で示した居住室２の囲い壁１ａに収納可能な収納ベッド４２を設け、収納時には該囲い壁１ａの壁面と同一面を形成すると共に施錠して該囲い壁１ａに係止している。
【００４８】
該収納ベッド４２の根部４２ａは上下方向に移動可能なスライド部４３に枢支され、該スライド部４３は前記囲い壁１ａや居住室２の床面などにしっかりと設置されている平行ガイド４４の間を所定高さの範囲で上下方向に移動し、前記収納ベッド４２のベッドの高さを電動又は手動操作により調整している。又、収納ベッド４２は前記根部４２ａを中心に収納時は起立し、使用時は前傾して水平位置となってロックされ、前傾する時、いきなり倒れると危険であるから該根部４２ａの個所と前記スライド部４３との間を油圧やエアシリンダによる緩衝手段４５が設けられている。
【００４９】
更に、前記根部４２ａやスライド部４３の荷重を分担するために該収納ベッド４２の先端部４２ｂに折り畳み式の上下の高さ調整可能な補助脚４６を設ける様にしてもよい。
【００５０】
次に本発明の第５の実施の形態の使用方法を説明する。
【００５１】
使用時には、前記囲い壁１ａの上方のロック４７を開錠し、該収納ベッド４２はエアシリンダなどの緩衝手段４５の作動によりゆっくりと前傾してベッドが水平となったら水平位置でロックされて係止し、スライド部４３を手動操作などにより患者の病状や体格に合せて高さ調整をし、補助脚４６を使用する時には折り畳んだ左右の脚を床面側に回動してロックし、脚の長さを調整して伸ばして、該スライド部４３と同じ高さとすることにより、衝撃的に座ったり重い人が寝てもベッドが揺れたりするのを防止することができる。
【００５２】
又、該収納ベッドの裏面側には拘束ベルト用の孔４７がベッドの長手方向に移動可能に設けられているので、前記第１の実施の形態で示した最も重度の状態の患者の場合にも拘束ベッドを用意する必要はなく、拘束などに直ちに対応することができる。
【００５３】
更に又、２番目の状態の患者の場合においては、歩く方がストレスの解消となるので該収納ベッド４２を収納して歩くための床面を広くすることができる。
【００５４】
又、収納時にはベッドが囲い壁１ａと同一面をなしているので、転倒や打撲などの事故を防止することができる。
【００５５】
本発明の第６の実施の形態を図１１及び図１２により説明する。
【実施例６】
【００５６】
この第６の実施の形態においては、前記居住室２の囲い壁１ａ内に収納テーブル５２を設けて患者の病状や必要に合せてテーブルを使用できる様にしてアメニティを向上できることが特徴である。
【００５７】
前記第１の実施の形態で示した居住室２の囲い壁１ａ内の床面から０．８メートル程度の高さ位置において、収納テーブル５２をその根部５２ａを該囲い壁１ａに設けた凹部に枢支し、該根部５２ａに真近いテーブルの下面と囲い壁１ａの下側の角が当接して該収納テーブル５２は水平となるが、更に補強のためにく字形に折曲するストッパー金具５３を該収納テーブル５２の上面と該囲い壁１ａの凹部内との間に架設してもよい。
【００５８】
収納する時には、矢印で示す如く収納テーブル５２の先端部５２ｂを上方に起立させると前記ストッパー金具５３は鋭角状に折曲し、該先端部５２ｂの個所において前記囲い壁１ａに設けておいたロック５４により施錠して係止する。又、該収納テーブル５２の下面側にはクッション材５５を付着してあり該クッション材５５の表面と前記囲い壁１ａとは収納時に略同一面となる。
【００５９】
この様に、テーブルが壁面に収納されているので食事などで使用する必要な時には直ちに出現させることができ、不使用時には壁面に収納されるので邪魔とならず患者の事故を防止することができ、又クッション材５５が張られていることにより叩いても怪我など防止することができると共に遮音にも役立つことができる。
【００６０】
又、状態が好転してきた患者の場合は、収納テーブル５２は出したままにすることができ、患者は本を読んだり、何かを書いたりすることができる。
【００６１】
尚、テーブルの収納方法は、上記の方法に限定するものではない。
【００６２】
本発明の第７の実施の形態を図１３により説明する。
【実施例７】
【００６３】
この第７の実施の形態においては病状が好転してきた患者の状態に合わせて個室のアメニティを向上できることが特徴である。
【００６４】
前記第１の実施の形態で示した居住室２の囲い壁１ａの１部に凹部６４を予め設けておき、通常は該凹部６４にクッション材６５ａを内在した保護カバー６５を施錠可能に設けて前記囲い壁１ａと同一面となる様に形成している。
【００６５】
病状の良い患者の場合には該保護カバー６５を取り外し、その凹部６４に絵画６２或いは液晶などの薄形のテレビ６３を嵌着させる。尚、６６はロック錠を示す。
【００６６】
尚、前記保護カバー６５の裏面に予め絵画６２を設けておいて該保護カバー６５を裏返してもよく、又、前記凹部に予め絵画６２やテレビ６３を設置しておいてもよく、その場合は保護カバー６５は左右に両開きとする。
【００６７】
この様に、病状が好転した前記第１の実施の形態で述べた４番目と５番目の患者は前記居住室２で絵やテレビを見ることができる様にして、病状に合せて一つの個室を居間の様に居心地よく変化させることができる。
【００６８】
本発明の第８の実施の形態を図１４により説明する。
【実施例８】
【００６９】
本発明の第８の実施の形態においては、トイレ室のロールペーパーの取り外しを防止することが特徴である。
【００７０】
前記第１の実施の形態で示したトイレ室３の囲い壁１ａの床面から０．５メートル程の高さ位置に凹部７３を設けて、該凹部７３の開口の両側部７３ａの中間部に各々所定長さのＬ１の支承片７２を設け、該支承片７２は常にロールペーパーの軸芯に対向する様にバネなどにより付勢されながら係止しており、図１４に示す如く凹部７３の奥行方向に回動可能に前記両側部７３ａに根部７２ａを枢支されている。
【００７１】
又、凹部７３の奥行面７３ｂ迄のロールペーパーの軸芯位置からの長さＬは支承片７２の所定長さＬ１とロールペーパーの軸芯径Ｌ２の和にほぼ等しく形成している。尚、２点鎖線はロールペーパー７４を示す。
【００７２】
ロールペーパー７４を支承するには凹部７３の開口から該ロールペーパー７４を挿入すると該ロールペーパー７４の両側部に当接して支承片７２は当初の対向している位置から奥行方向に回動するが該ロールペーパー７４の軸芯７４ａが挿入してくると該軸芯７４ａの空間部分に回動していた支承片７２が入り込んで直ちに付勢バネの力で当初の対向位置に戻って係止して該ロールペーパー７４は支承される。
【００７３】
もし使用途中のロールペーパー７４を手前に引いても係止している支承片７２によって軸芯７４ａが引っ掛かり抜くことができず、又図１５に示す如く奥へ押しても残っているロールペーパーにより該軸芯７４ａの空間部に該支承片７２は途中迄しか行かないのでロールペーパー７４を外すことができない。しかし残っているペーパーが無くなり軸芯７４ａだけとなると図１６に示す如くこの空の軸芯７４ａを奥行面７３ｂ方向に押すと前記支承片７２は軸芯７４ａに押されて両側面部７３ａに沿って回動し、軸芯７４ａの手前側からも該支承片７２の先端部が外れて該軸芯７４ａを抜くことができる。
【００７４】
この様にして、使用途中のロールペーパーは抜けず、最後までロールペーパーを使い切ることができる。
【符号の説明】
【００７５】
１        精神疾患患者治療用の個室システム
１ａ      囲い壁
１ｂ      第１仕切壁
１ｃ      第２仕切壁
２        居住室
３        トイレ室
４        洗面室
５        ドア
６        ベッド
【図１】
2010043526.tif 000003
【図２】
2010043526.tif 000004
【図３】
2010043526.tif 000005
【図４】
2010043526.tif 000006
【図５】
2010043526.tif 000007
【図６】
2010043526.tif 000008
【図７】
2010043526.tif 000009
【図８】
2010043526.tif 000010
【図９】
2010043526.tif 000011
【図１０】
2010043526.tif 000012
【図１１】
2010043526.tif 000013
【図１２】
2010043526.tif 000014
【図１３】
2010043526.tif 000015
【図１４】
2010043526.tif 000016
【図１５】
2010043526.tif 000017
【図１６】
2010043526.tif 000018